(57)【特許請求の範囲】
【請求項１】
先端側に噴射孔を有するノズルを組み込んだ前グリップと、ピストンを係着しフランジリングを一体に固着し前後に移動可能なピストンロッドと、前記前グリップと螺合する後グリップと、を備え、前記ピストンロッドを後退させて前記ノズルの噴射孔から吸入した薬液を、前記ピストンロッドを高速で前進させて前記噴射孔から噴射させて皮下注射を行う針無注射器において、前記ピストンロッドの前進距離を制限するストッパを該ピストンロッドの後端に設け、該ピストンロッドの前記後グリップからの飛び出しを防止するようにしたことを特徴とする針無注射器。
【請求項２】
請求項１記載の針無注射器において、前記ピストンロッドの前進距離を制限するストッパと衝撃を吸収する緩衝リングを該ピストンロッドの後端に設けたことを特徴とする針無注射器。
【発明の詳細な説明】
【０００１】
【発明の属する技術分野】
本発明は、ノズルの噴射孔から吸入した一定量の薬液をジェット噴射させて皮下注射を行う針無注射器に関する。
【０００２】
【従来の技術】
針無注射器は、その先端部のノズルの噴射孔から一定量の薬液を吸入した後、噴射孔から薬液をジェット噴射することにより、薬液を患者の皮下に注入する注射器である。すなわち、針無注射器による注射は皮下注射時に注射針を使用しないため、痛みを伴わない、注射痕が残らない、針刺し事故が皆無等の利点があり、例えば糖尿病患者自身が日常的にインシュリンを自己注射する場合にも用いられている。
【０００３】
このような針無注射器には、一般に図５の概略構成図に示すようなものが用いられている。すなわち、針無注射器は先端側に噴射孔２１ａを有するノズル２１を組み込んだ前グリップ２２と、ピストン２３を係着しフランジリング２４を一体に固着し前後に移動可能なピストンロッド２５と、前記ピストンロッド２５と連結（ラッチ）したり、解離したりするラッチ機構２６を固着し、前記前グリップ２２と螺合する後グリップ２７と、前記ピストンロッド２５に高速の前進力を負荷するための圧縮ばね２８及びラッチ解除ボタン２９等から構成されている。
【０００４】
この針無注射器の後グリップ２７を回して前グリップ２２に対して押し込んでいくと、ピストンロッド２５はラッチ機構２６に連結される。この状態で例えば薬液バイアル（図示しない）の吸入口に針無注射器の噴射孔２１ａを当てがい、後グリップ２７を反対方向に回転させると図５（ａ）のように一定量の薬液が吸入され、次にノズル２１を注射部位に当てがいラッチ解除ボタン２９を押し込むと、図５（ｂ）のように前記ピストンロッド２５がラッチ機構２６から解離して高速で前進し噴射孔２１ａから薬液が噴射される。
【０００５】
【発明が解決しようとする課題】
従来の針無注射器は上記のように構成されているが、使用者の操作ミスなどにより前グリップ２２が後グリップ２７から外れたり、外れかかった状態でラッチ解除ボタン２９を誤って押したりすると、ピストンロッド２５がフリーとなって飛び出す恐れがある。
本発明は、このような事情に鑑みてなされたものであって、操作ミスなどによりピストンロッドが一定距離以上に飛び出ない針無注射器を提供することを目的とする。
【０００６】
【課題を解決するための手段】
上記目的を達成するため、本発明の針無注射器は、先端側に噴射孔を有するノズルを組み込んだ前グリップと、ピストンを係着しフランジリングを一体に固着し前後に移動可能なピストンロッドと、前記前グリップと螺合する後グリップと、を備え、前記ピストンロッドを後退させて前記ノズルの噴射孔から吸入した薬液を、前記ピストンロッドを高速で前進させて前記噴射孔から噴射させて皮下注射を行う針無注射器において、前記ピストンロッドの前進距離を制限するストッパを該ピストンロッドの後端に設け、該ピストンロッドの前記後グリップからの飛び出しを防止するようにしたことを特徴とするものである。さらに衝撃を吸収する緩衝リングを該ピストンロッドの後端に設けたことを特徴とするものである。
本発明の針無注射器は上記のように構成されており、誤操作によって発射されたピストンロッドの飛び出しを防止することができる。
【０００７】
【発明の実施の形態】
以下、実施例により本発明の針無注射器を詳細に説明する。図１は本発明の実施例による針無注射器の上面図（ａ）と側面断面図（ｂ）を示したものである。
本発明の針無注射器は図１に示すように、ピストン３の後退時薬液を吸入し、前進時薬液を噴射する噴射孔１ａを有するノズル１と、先端側に前記ノズル１を螺合等により装着するとともに外周部に薬液の吸入量を示す薬液量表示窓２ａを開口した前グリップ２と、前記ノズル１の中空部に内挿されるピストン３を係着して前後に移動可能なピストンロッド５を連結（ラッチ）したりあるいは連結解除を行うためのラッチ機構６と、該ラッチ機構６に押力を加えてラッチ状態を解除させるラッチ解除ボタン９を内設した後グリップ７とを備え、前記前グリップ２と後グリップ７はそれぞれのねじ部２ｂ、７ａにより螺合されている。
【０００８】
前記ピストンロッド５の先端側にはピストン３を係着するための凹み５ａと、後端側には後グリップ７を回転前進させることによってラッチボール１０が嵌まり込むための凹み５ｂがそれぞれ円周上に形成されると共に、フランジリング４と本発明の特徴であるピストンロッド５の飛び出しを防止するためのストッパ１１と緩衝リング１８がそれぞれ一体的に固定されている。このストッパ１１は円柱形のもので、その直径はピストンロッド５より大きな径のものが用いられる。また、前記フランジリング４とフランジ１５間には、圧縮によりピストンロッド５を高速で前進させる力を貯えるための圧縮ばね１３が、またラッチボール受け１２とラッチ解除ボタン９間にはラッチ解除ボタン９に絶えず後方向きの力を加えておくための圧縮ばね１４がそれぞれ設けられている。前記フランジ１５とベアリング１６によって後グリップ７の回転がスムーズに行われる。
【０００９】
前記前グリップ２の薬液量表示窓２ａ下に挿入されている後グリップ７の円筒面上には、回転ピッチに合わせて前記薬液量表示窓２ａに薬液量を示すための数字が円周方向に一定間隔で表示されていて、後グリップ７の回転移動に対応して薬液量表示窓２ａの表示数字が連続的に変わるようになっている。
【００１０】
図１（ｂ）の針無注射器は、薬液を噴射した後、後グリップ７を回転して前進させて薬液量表示窓２ａの設定目盛値を０に合わせた状態の構造図を示したものである。この状態でのピストンロッド５は、凹み５ｂとラッチボール受け１２の孔１２ａの両側に嵌まり込んだラッチボール１０によって後グリップ７にラッチされ、後グリップ７の移動に連動して移動する。また、フランジリング４に対してフランジ１５が近づくことにより、圧縮ばね１３は圧縮され、薬液量設定値が０において所定の圧縮力に保持される。
【００１１】
この状態から注射を行うには、薬液バイアル（図示しない）の吸入口に針無注射器のノズル１の噴射孔１ａを当てがい、図２（ａ）に示すように必要な薬液吸入量が薬液量表示窓２ａに表示されるまで後グリップ７を回転して後退させ、ノズル１の内壁とピストン３間にできる空間部に薬液を吸入する。そして、針無注射器を注射部位に当てがいラッチ解除ボタン９を押し込むと、ラッチ解除ボタン９のラッチボール１０との接触面が前方へ移動してラッチボール１０は凹み５ｂから径方向に抜け出し、ラッチが解除されてピストンロッド５はフリーとなり、圧縮ばね１３が圧縮されて貯えられていた運動エネルギーがピストンロッド５に与えられる。
【００１２】
前記ピストンロッド５は、上記運動エネルギーを受けて高速で前進し、ピストン３はノズル１の先端部内面に到達するとともに、ピストンロッド５のストッパ１１は、緩衝リング１８を介して図２（ｂ）に示すようにラッチボール受け１２の後端面に当たってさらなる前進が止められる。したがって、万一前グリップ２が後グリップ７から外れたり、劣化により外れ易い状態でもそれ以上の飛び出しが防止され、安全性が確保される。
【００１３】
図３（ａ）、（ｂ）はピストンロッド５に形成したねじ部５ｃと螺合して軸方向に移動可能なフランジ１７を用いて、圧縮ばね１３の圧縮力を調節することができるようにした針無注射器の実施例を示したものである。このような注射器の場合には、ストッパ１１の代わりにピストンロッドを回転できるようにドライバ溝を形成したストッパ１１Ａが用いられる。
ラッチ解除ボタン９のボタン９ａを外してドライバ（図示せず）を挿入し、前記ストッパ１１Ａを介してピストンロッド５を回すと、フランジ１７の頭部１７ａは圧縮力表示窓２ｃの長溝２ｄに沿って前後に移動する。頭部１７ａの○印１個側に近ずくと圧縮力は低下し、○印３個側に近ずくと圧縮力は増加する。
上記針無注射器の前グリップ２が外れた状態でピストンロッド５が誤って発射された場合でも、図４に示すようにストッパ１１Ａが緩衝リング１８を介してラッチボール受け１２に当たって前進が阻止され、それ以上のピストンロッド５の飛び出しが防止される。
【００１４】
上記実施例に示すように、本発明はピストンロッド５の後端に飛び出し防止用のストッパ１１またはストッパ１１Ａと緩衝リング１８を設けたことを特徴とするものであり、ノズル１、前グリップ２、ストッパ１１、１１Ａ等の構成部品の形状は本実施例に限定されるものではなく、種々の形状のものも用いられる。例えばストッパ１１として６角柱形のものを用いたり、ストッパ１１とピストンロッド５にねじ部を設けて螺合させるようにしてもよい。
【００１５】
【発明の効果】
本発明の針無注射器は、上記のようにピストンロッドにストッパを取り付けたことにより、ピストンロッドの後グリップからの飛び出しを防止することができる。これにより、万一、使用者の操作ミス等により前グリップが外れ、ピストンロッドが発射されても前進距離が制限されているので安全性を確保することができる。
【図面の簡単な説明】
【図１】本発明の実施例による針無注射器の上面図（ａ）と側面断面図（ｂ）である。
【図２】ピストンロッド発射後の針無注射器の上面図（ａ）と側面断面図（ｂ）である。
【図３】他の実施例による針無注射器の上面図（ａ）と側面断面図（ｂ）である。
【図４】ピストンロッド発射後の針無注射器の側面断面図である。
【図５】従来の針無注射器の概略構造図である。
【符号の説明】
１、２１…ノズル
１ａ、２１ａ…噴射孔
２、２２…前グリップ
２ａ…薬液量表示窓
２ｂ、５ｃ、７ａ、２８…ねじ部
２ｃ…圧縮力表示窓
２ｄ…長溝
３、２３…ピストン
４、２４…フランジリング
５、２５…ピストンロッド
５ａ、５ｂ…凹み
６、２６…ラッチ機構
７、２７…後グリップ
９、２９…ラッチ解除ボタン
９ａ…ボタン
１０…ラッチボール
１１、１１Ａ…ストッパ
１２…ラッチボール受け
１２ａ…孔
１３、１４…圧縮ばね
１５、１７…フランジ
１６…ベアリング
１７ａ…頭部
１８…緩衝リング
【図１】
0004792670.tif 000002
【図２】
0004792670.tif 000003
【図３】
0004792670.tif 000004
【図４】
0004792670.tif 000005
【図５】
0004792670.tif 000006